(57)【要約】      （修正有）【課題】温熱を帯びた部材の毛髪への接触による直接加熱と温風加熱の２つの加熱機能の他、ミスト吹き付け機能も備え、これらの機能を単独使用したり、同時使用することにより所望のスタイリングを行うことを可能としたブラシ付きヘアーアイロンを提供する。【解決手段】背部に丸みを持たせたブラシヘッド１、ブラシヘッド１の一端から延設される持ち手１０、ブラシヘッドに設けた加熱プレート２、加熱プレート２から前後方向および左右方向に列をなして突設される加熱プレート２と同体の複数の加熱突体３、先端が加熱突体３上に突出される非加熱性のブリスル４を設け、温風を加熱プレート２上にして加熱突体３の列の間に設けた複数の吹き出し口６から加熱プレート２と直交する方向に向けて吹き出し、ミストを加熱プレート２の端部付近に設けた吹き出し口１２から加熱プレート２と平行する方向に向けて吹き出す。【選択図】図３
0003220334.tif 000002
【実用新案登録請求の範囲】
【請求項１】
髪をすくための複数のブリスルを突設すると共に背部に丸みを持たせたブラシヘッド、ブラシヘッドの一端から延設される持ち手、ブラシヘッドに設けた加熱プレート、加熱プレートから前後方向および左右方向に列をなして突設される加熱プレートと同体の複数の加熱突体、先端が加熱突体上に突出される非加熱性のブリスルを有するブラシ付きヘアーアイロンに、温風吹き出し装置およびミスト吹き出し装置を設け、温風は加熱プレート上にして加熱突体の列の間に設けた複数の吹き出し口から加熱プレートと直交する方向に向けて吹き出し、ミストは加熱プレートの端部付近に設けた吹き出し口から加熱プレートと平行する方向に向けて吹き出すことを特徴とするブラシ付きヘアーアイロン。
【請求項２】
温風の吹き出し口はミストが吹き出す先を避けて配される請求項１記載のブラシ付きヘアーアイロン。
【請求項３】
加熱突体は前後一対の組からなり、非加熱性のブリスルは前後一対の加熱突体間に基部が挟み込まれた状態で先端が加熱突体上に突出される請求項１または２記載のブラシ付きヘアーアイロン。
【請求項４】
ブラシヘッドの背中側に外装することにより背中側の外径を増大する背部に丸みを持たせたアタッチメントを組み合わせた請求項１から３のいずれかに記載のブラシ付きヘアーアイロン。
【請求項５】
イオン発生装置を設けた請求項１から４のいずれかに記載のブラシ付きヘアーアイロン。
【請求項６】
加熱プレートおよび加熱突体の加熱、温風の吹き出し、ミストの吹き出し、イオンの発生のそれぞれをスイッチ操作により個別に制御可能とした請求項１から５のいずれかに記載のブラシ付きヘアーアイロン。
【考案の詳細な説明】
【技術分野】
【０００１】
本願考案は髪の毛をカールさせたり、ストレートに矯正させたりするために使用するブラシ付きヘアーアイロンに関する。
【背景技術】
【０００２】
ヘアブラシにおいて髪をすくためのブリスル（ブラシ毛）を加熱したり、ブリスルを突設したブラシヘッドに設けた吹き出し口から温風を吹き出すことは古くから公知である（特許文献１、２）。
【０００３】
また、ヘアブラシにおいてブラシヘッドに設けた吹き出し口からミストを吹き出すことも公知である（特許文献３）。
【先行技術文献】
【特許文献】
【０００４】
【特許文献１】特開昭６２−２５８６０６号公報
【特許文献２】実公３７−１７６４４号公報
【特許文献３】特開平０７−１１６０２９号公報
【考案の概要】
【考案が解決しようとする課題】
【０００５】
本願考案のブラシ付きヘアーアイロンはブリスル付近を加熱させるだけでなく、温風吹き出し装置およびミスト吹き出し装置を設けたものである。
【０００６】
ブラシは毛髪をすくうことによって毛流れを整える機能を有するものであるが、その際に摩擦により毛髪を傷めたり、摩擦により静電気が発生する問題を生じる。ブラシヘッドに設けた吹き出し口からミストを吹き出す目的は髪を湿らせることにより上記の問題を解消する点にある。
【０００７】
従って、ミストは漫然と吹き出させるものではなく、前記の目的に沿って効果的に吹き出させることが望まれる。
【課題を解決するための手段】
【０００８】
本願考案は前記の問題点に鑑みて、効果的なミスト効果を発揮することができるブラシ付きヘアーアイロンを実現することを目的としたものである。
【０００９】
すなわち、本願考案のブラシ付きヘアーアイロンは、髪をすくための複数のブリスルを突設すると共に背部に丸みを持たせたブラシヘッド、ブラシヘッドの一端から延設される持ち手、ブラシヘッドに設けた加熱プレート、加熱プレートから前後方向および左右方向に列をなして突設される加熱プレートと同体の複数の加熱突体、先端が加熱突体上に突出される非加熱性のブリスルを有するブラシ付きヘアーアイロンに、温風吹き出し装置およびミスト吹き出し装置を設け、温風は加熱プレート上にして加熱突体の列の間に設けた複数の吹き出し口から加熱プレートと直交する方向に向けて吹き出し、ミストは加熱プレートの端部付近に設けた吹き出し口から加熱プレートと平行する方向に向けて吹き出すことを特徴とする。
【００１０】
また、請求項２記載の考案は、前記のブラシ付きヘアーアイロンにおいて温風の吹き出し口はミストが吹き出す先を避けて配されることを特徴とする。
【００１１】
また、請求項３記載の考案は、前記のブラシ付きヘアーアイロンにおいて加熱突体は前後一対の組からなり、非加熱性のブリスルは前後一対の加熱突体間に基部が挟み込まれた状態で先端が加熱突体上に突出されることを特徴とする。
【００１２】
また、請求項４記載の考案は、前記のブラシ付きヘアーアイロンにおいてブラシヘッドの背中側に外装することにより背中側の外径を増大する背部に丸みを持たせたアタッチメントを組み合わせたことを特徴とする。
【００１３】
また、請求項５記載の考案は、前記のブラシ付きヘアーアイロンにおいてイオン発生装置を設けたことを特徴とする。
【００１４】
また、請求項６記載の考案は、前記のブラシ付きヘアーアイロンにおいて加熱プレートおよび加熱突体の加熱、温風の吹き出し、ミストの吹き出し、イオンの発生のそれぞれをスイッチ操作により個別に制御可能としたことを特徴とする。
【考案の効果】
【００１５】
以上の構成よりなる本願考案のブラシ付きヘアーアイロンによれば、ミストはブラシヘッドの上方に向けてではなく、加熱プレートの端部付近に設けた吹き出し口から加熱プレートと平行する方向に向けて吹き出すので、加熱プレートの加熱突体およびブリスル周辺にムラなく拡散する。そして、この場合加熱プレートから発せられる熱により蒸散するので、ブラシヘッドはミスト雰囲気に包まれ、効果的なミスト効果を得ることができる。
【００１６】
また、温風は加熱プレート上にして加熱突体の列の間に設けた複数の吹き出し口から加熱プレートと直交する方向に吹き出すので、温風作動時は前記の拡散したミストをムラなく毛髪に誘導することができる。
【００１７】
前記の場合、請求項２記載の考案のように、温風の吹き出し口をミストが吹き出す先を避けて配せば、ミストが加熱プレートの全域に拡散する前に温風により一カ所に吹き飛ばされることを防止できる。
【００１８】
本願考案のブラシ付きヘアーアイロンは加熱プレートおよび加熱突体の加熱のみでなく、温風の吹き出しおよびミストの吹き出し機能も備えている。よって、ドライヤーとしての使用やヘアーアイロンとしての使用の他、これらを組み合わせた使用も可能となり、一台の機器で多様な使用方法が可能となる。
【００１９】
また、本願考案のブラシ付きヘアーアイロンはブラシヘッドの背部に丸みを持たせているので、温風吹き出し機能を併用することでロールブラシアイロン的な使用も可能となる。この場合、請求項４記載の考案の、ブラシヘッドの背中側に外装することにより背中側の外径を増大する背部に丸みを持たせたアタッチメントを組み合わせる場合はカーリングの大きさを変えることが可能となる。
【図面の簡単な説明】
【００２０】
【図１】本願考案のブラシ付きヘアーアイロンの側面図。
【図２】同上、平面図。
【図３】同上、要部の底面図。
【図４】同上、要部の斜視図。
【図５】同上、斜視図。
【考案を実施するための形態】
【００２１】
以下、本願考案のブラシ付きヘアーアイロンの実施例を添付図面に基づいて説明する。図１は本願考案のブラシ付きヘアーアイロンの全体を示す正面図である。このブラシ付きヘアーアイロンは髪をすくための複数のブリスル３、５を突設したブラシヘッド１、ブラシヘッドの一端から延設される持ち手１０から構成され、内部には図示しない電気式の温風装置およびミスト生成送風装置が内蔵される。
【００２２】
本願考案のブラシ付きヘアーアイロンは温熱を帯びた部材の毛髪への接触による直接加熱と温風装置からの吹き出しによる温風加熱の２つの加熱機能のそれぞれを単独使用したり、同時使用することによりブリスルにより髪をすきながらドライヤー的な使用、ストレートブラシアイロン的な使用、ロールブラシアイロン的な使用、カールドライヤー的な使用をして所望のスタイリングを行い、さらにこれらにミストの吹き付け機能も加えてより効果的なスタイリングを実現する。
【００２３】
図３および４は前記の機能を実現するための本願考案の要部を示す図である。図中符合２および３は直接加熱を行うための加熱プレートおよび加熱突体を示す。加熱プレート２は図示しない熱源により加熱される熱伝導性に富んだ素材により構成されるものであり、周囲に余白を残してブラシヘッド１のほぼ全面に配される。
【００２４】
前記加熱プレート２の上面には加熱プレートと同体の加熱突体３が突設される。上記加熱突体３は前後一対の組からなる左右横長の薄手のものであり、前後方向および左右方向に列をなして複数組が突設される。ここでは前後方向の列が左右に４列配される。
【００２５】
図中符合４は非加熱性のブリスルであり、前後一対の加熱突体３、３間に挟み込まれるように横長の薄手のものが加熱プレート２の裏面から貫通穴に貫挿されて先端が加熱突体から上方に突設される。よって、使用時に頭皮に接触するのは非加熱性のブリスル４の先端であり、加熱突体３が接触することはない。
【００２６】
ブラシヘッド１の前記の加熱プレート２の周囲の余白箇所には第２の非加熱性のブリスル５が加熱プレートを囲むように複数本配される。上記ブリスル５は髪をすく働きの他、加熱プレート２および加熱突体３に使用者の皮膚が触れることを阻止するための働きを有する。
【００２７】
図中符合６は加熱プレートと直交する方向に向けて温風を吹き出すように加熱プレート２に開口する温風の吹き出し口であり、ここでは長穴状のものが前記の加熱突体３の左側２列の間と右側２列の間にその列の全長に渡って配される。
【００２８】
図中符合１２はミストの吹き出し口である。本願考案においてはミストは加熱プレート２の端部付近から加熱プレートと平行する方向に向けて吹き出すものであり、ここでは温風の吹き出し口６が存する加熱突体３の左側２列の間と右側２列の間を避けて、加熱突体３の中央の２列の間に向けて吹き出すようにしている。
【００２９】
前記のミストの吹き出し口１２は、加熱プレート２の端部後方において持ち手１０上に隆起させた隆起部１１の立ち上がり壁面に開口することにより吹き出し方向が加熱プレートと平行するようにしている。
【００３０】
図中符合１３、１３は前記のミストの吹き出し口１２の左右に配されるイオン発生部である。
【００３１】
図中符号２０はブラシヘッド１の背中側に外装されるアタッチメントである。このアタッチメント２０はブラシヘッド１に外装することにより、ブラシヘッドの外径を増大するためのものであり、背部に丸みを持たせると共に、全長方向に沿って複数の突条２１を間隔を空けて設けることにより突条間に巻き付けた髪の毛を分け入れることができるようにしている。
【００３２】
以上の構成からなる本願考案のブラシ付きヘアーアイロンは、使用者において加熱プレートおよび加熱突体の加熱、温風の吹き出し、ミストの吹き出し、イオンの発生のそれぞれをスイッチ操作により個別に制御することにより使用に供される。
【符号の説明】
【００３３】
１                ブラシヘッド
２                加熱プレート
３                加熱突体
４                ブリスル
５                ブリスル
６                温風の吹き出し口
１０              持ち手
１１              隆起部
１２              ミストの吹き出し口
１３              イオン発生部
２０              アタッチメント
２１              突条
【図１】
0003220334.tif 000003
【図２】
0003220334.tif 000004
【図３】
0003220334.tif 000005
【図４】
0003220334.tif 000006
【図５】
0003220334.tif 000007